(57)【要約】      （修正有）【課題】  従来の組立式仏壇は、全体解体が容易に出来るが、下段だけとか、柱だけの解体が出来なかった。仏壇内部部品部分解体構造と販売店の小在庫、小展示スペース、消費者ニーズに答えるための多品種を実現することを課題とする。【解決手段】上記課題を達成するために、仏壇外枠の箱体と上層、中層、下層の内部部品ユニットで構成した仏壇とし、箱体と内部部品ユニットは直接固定しない構造とした。各ユニットは、箱体を解体することなく内部から組立、解体出来、内部部品ユニットは、独立して組立、解体出来る構造とした。【選択図】図１
2007007325.tif 000002
【特許請求の範囲】
【請求項１】
仏壇外枠の箱体と上層、中層、下層の内部部品ユニットで構成した仏壇。
【請求項２】
箱体と内部部品ユニットは直接固定しないことを特徴とする請求項１の仏壇。
【請求項３】
内部部品ユニットは、独立して組立、解体出来ることを特徴とする請求項１、請求項２の仏壇。
【請求項４】
各ユニットは、箱体を解体することなく内部から組立、解体出来ることを特徴とする請求項１、請求項２の仏壇。
【請求項５】
内部部品ユニットを箱体に組込むための壁添いを備えたことを特徴とする請求項１、請求項２の仏壇。
【請求項６】
内部部品ユニットに可動式ダボを備えたことを特徴とする請求項１、請求項２の仏壇。
【発明の詳細な説明】
【技術分野】
【０００１】
本発明は、各種の仏壇の内部構造と、販売店の流通、展示、販売方法に関する。
【背景技術】
【０００２】
仏壇の種類を問わず、ボンド、ビス、釘等で全てを固定してしまう現代の既製仏壇が主流に生産、流通されている中で、僅かに製造されている伝統工芸品等の組立式仏壇は、ホゾ、ダボ等により容易に組立、解体が全体的に出来る様に製造されている。製造コストはかなり高額である。
【０００３】
現代の既製仏壇においては、生産の中心が海外になり、製造コストがかなり安くなり、多品種になっている。
【０００４】
以下、図１８〜図３０により従来の組立式仏壇について説明する。各図の中において基本組立構造に関係のない内部部品は省略してあります。又、仏壇の基本構造である御堂造りの仏壇を例にとって説明を進める。図において、組立式仏壇５１は、仏壇の外枠になる構造と内部部品の構造を同時進行で組立てます。まず、仏壇本体前柱６０と仏壇本体後柱６１、両側面板６２を同時に下台５６に組付けます。次に、下段６４を下台５６の上にのせます。この時、下段６４の天板７７は両側面板６２に接触します。次に、収納部６６を下段６４の天板７７の後側木口に接触するようにのせます。その後に、地板７２をのせます。次に、中段６８を収納部６６と棚受け８６の上にのせ、上段６９は、中段６８の天板７８の後側木口に接触するように棚受け８７と中段６８の上にのせます。段廻りと両側面板６２の隙間に攻め板７０を差込みます。この攻め板７０は、棚受け８６、８７と下段６４の天板７７の上にのり、隙間を隠す役割をします。次に、外欄間用長押５７を仏壇本体前柱６０の任意の位置に組込み、上台輪５５を仏壇本体前柱６０と後柱６１の上部ダボに組付けます。次に、柱７１の下部ダボ８２を段廻りの天板７７・７８・７９のホゾ８１に差込、一重長押７３のホゾ８３の下部を柱７１の上部ダボ８２に組込みます。次に、欄間束８８の下部ダボを一重長押７３の上部ホゾ８３に差込、内欄間９０を欄間束８８の間に取付け、二重長押７４のホゾ８４の下部を欄間束８８の上部ダボに組込みます。次に、欄間束８９の下部ダボを二重長押７４の上部ホゾ８４に差込、内欄間９１を欄間束８９の間に取付け、三重長押７５のホゾ８５の下部を欄間束８９の上部ダボに組込みます。次に、天井７６のダボ８０を三重長押７５のホゾ８５の上部ホゾに組込み、鉤釘等で上台輪５５に固定します。次に、外欄間６３を外欄間用長押５７に取付け、障子５４、雨戸５３を取付けます。背板５９を取付け、仕上げに、仏壇５１の両側面板６２の外部より釘等で段廻りを固定します。又、仏壇本体前柱６０、仏壇本体後柱６１のダボを下台５６の側面側と背面側より釘等で固定し、ゴミ取り５８をのせて出来上がりです。この様に、組立式仏壇５１は、下から上にホゾ、ダボ等で積木の様に組立てます。解体の時は、上から下に順番に取外します。仏壇全体を解体するときは、容易に解体出来ます。
【０００５】
又、下記の様な技術もあります。各部品が一体に組立てられている仏壇ユニットと、家具調収容ユニットを組合せたユニット仏壇があります（例えば、特許文献１参照。）。又、ユニット仏壇でコンパクトに収納出来るものがあります（例えば、特許文献６参照。）。又、組立式仏壇でホゾ、クサビ、ビスで接合し、容易に組立、解体が出来るものがあります（例えば、特許文献４参照。）。又、仏壇の胴締め構造で、内部構造物に係合する棒体を仏壇の胴側壁に開けた貫通穴から胴側壁の外部に突出させ、クサビにて固定するようにした容易に組立、解体が出来るものがあります（例えば、特許文献２参照。）。又、仏壇の内柱又はギボシ、宮殿の前柱を永久磁石を使用して着脱自在にした仏壇があります（例えば、特許文献３、特許文献５参照。）。又、簡易組立式の仏壇があります（例えば、実用新案登録第３１０４６５８号参照。）。
【０００６】
【特許文献１】特許公開２０００−５３０９
【特許文献２】特許公開２０００−３００４２２
【特許文献３】特許公開２００１−１４９２１３
【特許文献４】特許公開２００３−１５３７９２
【特許文献５】特許公開平６−１９７８３６
【特許文献６】特許公開４−１２９５０８
【特許文献７】実用新案登録第３１０４６５８
【発明の開示】
【発明が解決しようとする課題】
【０００７】
以上に述べた従来の組立式仏壇５１では、全体解体を必要とする修理等には適しているが、仏間３の中に設置した状態での部分修理の時は、非常に不便である。従来の組立式仏壇５１を例にとりますと、ローソクの火で焦がした柱７１を取出したいときは、仏壇５１を仏間３から出し、ゴミ取り５８をはずし、天井７６から順番に一重長押７３までの全ての部品を取外さないと柱７１は取外すことが出来ない。又、傷つけた下段６４を取外すときには、天井７６から順番に収納部６６までの全ての部品を取外さないと下段６４は取外せない。既製仏壇では、ボンド、ビス、釘等で固定してあるので、尚更である。
【０００８】
又、現代の既製仏壇は、海外での生産が中心になっているため、製造コストはかなり安くなっている。しかし、販売店では、生存競争に打勝つために大規模な展示スペースと多品種の仏壇を在庫に持つことで消費者ニーズに合わせてきた。大量に消費されているときはこのやり方で対応出来たが、年々販売台数が減少し、販売単価も下降の一方をたどる中で、この様な状態が販売店を逼迫してきた。
【０００９】
本発明は、従来の仏壇構造が有していた問題を解決しようとするものであり、仏壇５１を仏間３に設置したままで、内部部品の全てを組立、解体すること、特に取外したい部品だけを取外せることを目的とするものである。
【００１０】
又、販売店が抱えている問題を解決するものであり、小規模の展示スペースで、在庫を少なく、それでいて多品種を実現することを目的とするものである。
【００１１】
又、購入者から見れば、在庫品の中から予算に合わせて選ばされている訳で１００パーセント満足する仏壇を買っている訳ではない。限りなく満足する仏壇を購入するには別誂えするしかなく、高額な仏壇になることと、相当の日数がかかることが現状で、この問題を解決しようとするものであり、既製品と同等な価格帯でのイージーオーダーを実現することを目的とするものである。
【課題を解決するための手段】
【００１２】
そして、本発明は上記目的を達成するために、仏壇外枠の箱体と上層、中層、下層の内部部品ユニットで構成した仏壇とし、箱体と内部部品ユニットは直接固定しない構造とした。内部部品ユニットは、箱体を解体することなく内部から組立、解体出来、さらに独立して組立、解体出来る構造とした。方法の一つとして、壁添い、可動式ダボを備えた。
【００１３】
課題解決手段による作用は次の通りである。上層部・下層部の壁添いが繋になることにより、仏壇外枠の箱体と内部部品ユニットは直接固定する仕組みではなくなり、内部部品ユニットがそれぞれ可動式ダボ３３を備え、上層部・下層部に取付けた壁添い２０・２６・２７が内部部品ユニットの可動式ダボ３３を受ける構造にしたことで、内部部品ユニットは、独立して組立、解体が可能になった。
【発明の効果】
【００１４】
上述したように本発明の仏壇１は、仏間３に設置したままの状態で、内部より全ての内部部品ユニットが容易に組立、解体出来るので、修理が必要な時は非常に便利です。
【００１５】
全ての内部部品ユニットが解体出来ますので、隅々まで仏壇内部の掃除が出来ます。
【００１６】
仏壇本体を同一企画サイズの基で、上記の構造で造った金仏壇・唐木仏壇・家具調仏壇・仕込み型仏壇を各１本用意し、大きく四つの宗派に別け、内部部品ユニットの形状、グレードを別々にして内部部品ユニットを組込んだ時、単純計算のもと、大きく別けて６４種類の仏壇に変化します。この４本の仏壇の他に同一企画の内部部品ユニットのみを数点用意した時は、相当数の仏壇に変化し、相当数の仏壇を在庫に持つことと等しくなります。
【００１７】
この仏壇は、イージーオーダー的要素を持っており、購入者は、自ら部品を選択出来るため自分で造ると言うイメージを持て、限りなく満足の出来る仏壇に近い商品を購入できる。又、購入時に、全ての内部部品ユニットを組込む構成にしなくても良く、後日、アップグレード出来ます。
【００１８】
又、仏壇の流通の形式が完成品１本単位だけでなくなり、半製品、部品単位の流通も可能になります。
【００１９】
メンテナンスに関しては、遠距離のお客様も安心でき、面倒な手間がかからず、余分な費用もかかりません。
【発明を実施するための最良の形態】
【００２０】
以下、本発明の実施の形態を図１〜図１７に基づいて説明する。
【００２１】
図において、１は仏壇本体で、仏壇台輪２、仏間３、雨戸４、障子５、上台輪６、外欄間用長押７、ゴミ取り８、仏壇背板９、仏壇本体前柱１０、仏壇本体後柱１１、両側面板１２、外欄間１３、下段１４、前引き１５、収納部１６、猫戸１７、中段１８、上段１９、段廻りユニット組込み用壁添い２０、柱２１、一重長押２２、二重長押２３、三重長押２４、天井２５、長押用壁添い２６、天井用壁添い２７、下段天板２８、中段天板２９、上段天板３０、長押受け用ホゾ３１、天井２５のダボ３２、可動式ダボ３３、長押固定ダボ３４、仏壇本体前柱、後柱の壁添い受け用ホゾ３５、段廻りの天板のホゾ３６、上段の取外し前飾板３７、天井用壁添いのホゾ３８、可動式ダボ用操作レバー３９、一重長押ホゾ４０、二重長押ホゾ４１、三重長押ホゾ４２、欄間束一重長押用４３、欄間束二重長押用４４、内欄間一重長押用４５、内欄間二重長押用４６、可動式ダボ用バネ４７、バネ付可動式ダボ４８、可動式ダボ金具４９、段廻り用壁添いのホゾ５０であり、直接構造に関係のないユニットは図示をしていません。
【００２２】
仏壇１は、従来の組立式仏壇５１と外部、内部の外観は全く変わりなく仏壇台輪２と従来の仏壇台輪５２については同様である。内部各ユニットが組込み、解体出来る機能を持つことで、仏壇本体１と内部各ユニットが別々の工程で組込み、解体出来、全く違う性質の仏壇になった。
【００２３】
図７より段廻りユニット組込み用壁添い２０は、前後の任意の位置に可動式ダボ３３を備え、段廻りユニットの可動式ダボ３３を受けるためのホゾ５０が任意の位置にもうけてある。又、可動式ダボ操作レバー３９で仏壇１の仏壇本体前柱１０・後柱１１の任意の位置にもうけてあるホゾ３５に組込み、解体出来る機能を持つ。壁添い２０は、段廻りユニットを仏壇１に組込み、解体するための必須部品である。又、壁添い２０の形状、材質、大きさ、仕組みは限定しない。
【００２４】
図８より下段１４は、天板２８の側面に可動式ダボ３３を備え、天板２８の裏側に可動式ダボ操作レバー３９があり、前引き１５を取出すと操作が出来、レバー３９を操作して壁添い２０に固定する。仏壇１に組込み、解体出来る機能を持つ。又、天板２８には、柱２１を組込み、解体するためのホゾ３６がある。
【００２５】
図９より収納部１６は、枠造りにしてあり、地板も備えている。又、収納部１６の形状、材質、大きさ、仕組みは限定しない。収納部１６は側面に可動式ダボ３３を備え、裏面に可動式ダボ操作レバー３９があり、猫戸１７をはずすと操作が出来、レバー３９の操作で壁添い２０に固定される。仏壇１に組込み、解体出来る機能を持つ。
【００２６】
図１０より中段１８は、天板２９の側面に可動式ダボ３３を備え、天板２９の裏側に可動式ダボ操作レバー３９があり、レバー３９の操作で壁添い２０に固定され、仏壇１に組込み、解体出来る機能を持つ。又、レバー３９は、収納部１６の開いている上部に手を入れて操作する。又、天板２９にはホゾ３６があり、柱２１が組込み、解体出来る。
【００２７】
図１１より上段１９は、天板３０の側面に可動式ダボ３３を備え、天板３０の裏側に可動式ダボ操作レバー３９があり、レバー３９の操作で壁添い２０に固定され、仏壇１に組込み、解体出来る機能を持つ。又、上段前飾板３７が取外し出来る様に造ってあり、手を入れてレバー３９の操作が出来る。又、天板３０には、ホゾ３６があり柱２１が組込み、解体出来る。
【００２８】
図６より長押受け用壁添い２６は、前後に可動式ダボ３３を備え、各長押の固定式ダボ３４を受けるためのホゾ３１が任意の位置に設けてある。可動式ダボ操作レバー３９で仏壇本体１の前柱２１、後柱２２の任意の位置にもうけてあるホゾ３５に組込み、解体が出来る。壁添い２６は、長押廻りの各ユニットを仏壇１に組込み、解体するための必須部品である。
【００２９】
下段１４、収納部１６、中段１８、上段１９の間には０，５ミリ程の僅かな隙間をつくり接触しない様に取付ける。これらの段廻りユニットは上下の繋がりがなくなり、宙に浮いた状態での仏壇１への組込み方法となり、それぞれが、単独で組込み、解体が出来る仕組みとなっている。又、これら各ユニットの形状、材質、大きさ、仕組みは限定しない。
【００３０】
図１２より一重長押２２は、固定式ダボ３４を側面と背面に備え、壁添い２６のホゾ３１に組込む。又、上下にホゾ４０があり、下側のホゾには、柱２１の可動式ダボ３３が組込まれ、上側のホゾには欄間束４３が組込める様になっている。内欄間４５は欄間束４３の間に組込むが、構造には直接関連はない。
【００３１】
図１２より二重長押２３は二分割されていて前後左右に固定式ダボ３４を備え、壁添い２６のホゾ３１に組込む。前面のダボ３４は外欄間長押７のホゾ３１に組込む。又、上下にホゾ４１があり、下側のホゾには欄間束４３のダボが組込まれ、上側のホゾには欄間束４４のダボが組込まれる。内欄間４６は、欄間束４４の間に組込むが、構造には直接関連はない。
【００３２】
図１２より三重長押２４は二分割されていて、前後左右に固定式ダボ３４を備え、壁添い２６のホゾ３１に組込む。前面のダボ３４は外欄間長押７のホゾ３１に組込む。又、上下にホゾ４２があり、下側のホゾには欄間束４４のダボが組込まれ、上側のホゾには天井２５の固定式ダボ３２が組込まれる。
【００３３】
図５・図６より天井用壁添い２７は、上台輪６の内側の任意の位置に四方取付ける。又、前後に可動式ダボ３３を備え、天井２５の可動式ダボ３３を組込むためのホゾ３８が任意の位置にもうけてある。可動式ダボ操作レバー３９で上台輪６の内側の任意の位置にもうけてあるホゾ３５に組込み、解体出来る。又、天井用壁添い２７の形状、材質、大きさ、仕組みは限定しない。
【００３４】
図５・図１３より天井２５は、二分割されていて、天井裏の前後左右に可動式ダボ３３を備え、内側にある可動式ダボ操作レバー３９を操作して、仏壇１の上台輪６の内側に取付けた天井用壁添い２７にもうけてあるホゾ３８に組込む。仏壇１に組込み、解体出来る機能を持つ。又、天井２５の形状、材質、大きさ、仕組みは限定しない。
【００３５】
図１４より柱２１は上下に可動式ダボ３３を備え、段廻りユニット天板のホゾ３６と一重長押２２の下部ホゾ４０に可動式ダボ操作レバー３９を操作して、組込み、解体出来る機能を持つ。又、柱２１の形状、材質、大きさ、仕組みは限定しない。
【００３６】
この様に、全ての部品ユニットは、仏壇１の内側より組込み、解体が出来る仕組みになっている。又、組込み、解体の順番は決まってなくて、一番が天井２５でも、柱２１でも良い。柱２１を外せば段廻りの各ユニットは、どのユニットからでも外せる。又、上層部は、天井２５、三重長押２４、内欄間４６、欄間束４４、二重長押２３、内欄間４５、欄間束４３、一重長押２２の順番で解体する。
【００３７】
この様に仏間３に設置したままの状態で各ユニットが容易に仏壇１に組込み、解体出来る機能を持つ仕組みは、可動式ダボ３３以外の方法でも良い。可動式ダボの方法であってもバネ４７を付けて、バネ付き可動式ダボ４８、可動式ダボ金具４９等どのような形状、材質、大きさ、仕組みでも良い。
【００３８】
以上の様に仏壇１に段廻り用壁添い２０、長押受け用壁添い２６を仏壇本体の前柱１０、後柱１１のホゾ３５に可動式ダボ３３で組込み、天井用壁添い２７を上台輪６の内側の任意の位置にもうけてあるホゾ３５に可動式ダボ３３で組込み、各ユニットの可動式ダボ３３、固定式ダボ３４をそれぞれの壁添い等に組込むことによって、完全な仏壇内部ユニット解体構造を持つ仏壇１が出来上がる。この仏壇１は、図４の様に仏間３の中に設置したままであっても仏壇本体１の外枠である箱体に手をつけることなく容易に各ユニット部分解体、ユニット完全解体が出来、課題の全てを達成出来る。
【図面の簡単な説明】
【００３９】
【図１】本発明の実施形態を示す仏壇内部ユニット組立斜視図
【図２】仏壇１を上から見た図
【図３】同正面図で、Ａａ〜Ａｂの断面図
【図４】同正面図で、仏間３に設置状態での内部ユニット解体図
【図５】同斜視図で、天井２５部分の仏壇本体１への組込み詳細図
【図６】同斜視図で、上層部用壁添い２６・２７の仏壇本体１への組込み詳細図
【図７】同斜視図で、段廻り用壁添い２０の仏壇本体１への組込み詳細図
【図８】同下段１４の斜視図
【図９】同収納１６、猫戸部分１７の斜視図
【図１０】同中段１８の斜視図
【図１１】同上段１９の斜視図
【図１２】同欄間、長押部分斜視図であり、組立て詳細図
【図１３】同天井２５の天井伏せ図
【図１４】同柱２１の斜視図
【図１５】同可動式ダボ３３の斜視図であり、詳細図
【図１６】同バネ付き可動式ダボ４８の斜視図であり、詳細図
【図１７】同可動式ダボ金具４９の斜視図
【図１８】従来の組立式仏壇５１の仏壇内部ユニット組立斜視図
【図１９】仏壇５１を上から見た図
【図２０】同正面図で、Ｂａ〜Ｂｂの断面図
【図２１】同正面図であり、仏間３に設置状態の仏壇本体５１と台輪５２
【図２２】同斜視図であり、天井７６の仏壇本体５１への組込み詳細図
【図２３】同天井７６の天井伏せ図
【図２４】同下段６４斜視図
【図２５】同収納部６６、猫戸６７斜視図
【図２６】同中段６８斜視図
【図２７】同上段６９斜視図
【図２８】同攻め板７０の仏壇本体５１への取付け斜視図
【図２９】同柱７１斜視図
【図３０】同欄間、長押部分斜視図であり、組立て詳細図
【符号の説明】
【００４０】
１    仏壇本体
２    仏壇台輪
３    仏間
４    雨戸
５    障子
６    上台輪
７    外欄間用長押
８    ゴミ取り
９    仏壇背板
１０  仏壇本体前柱
１１  仏壇本体後柱
１２  側面板
１３  外欄間
１４  可動式ダボを備えた下段
１５  前引き
１６  可動式ダボを備えた収納部分
１７  猫戸
１８  可動式ダボを備えた中段
１９  可動式ダボを備えた上段
２０  可動式ダボを備えた段廻り用壁添い
２１  可動式ダボを備えた柱
２２  固定式ダボを備えた一重長押
２３  固定式ダボを備えた二重長押
２４  固定式ダボを備えた三重長押
２５  可動式ダボを備え、二分割した天井
２６  可動式ダボを備えた長押用壁添い
２７  可動式ダボを備えた天井用壁添い
２８  下段天板
２９  中段天板
３０  上段天板
３１  長押受け用ホゾ
３２  天井２５のダボ
３３  可動式ダボ
３４  長押固定式ダボ
３５  前柱、後柱、上台輪の壁添い受け用ホゾ
３６  段廻りの天板のホゾ
３７  上段の取外し前飾板
３８  天井用壁添いのホゾ
３９  可動式ダボ用操作レバー
４０  一重長押のホゾ
４１  二重長押のホゾ
４２  三重長押のホゾ
４３  欄間束一重長押用
４４  欄間束二重長押用
４５  内欄間一重長押用
４６  内欄間二重長押用
４７  可動式ダボ用バネ
４８  バネ付き可動式ダボ
４９  可動式ダボ金具
５０  段廻り用壁添いのホゾ
５１  従来の組立式仏壇本体
５２  同台輪
５３  同障子
５４  同雨戸
５５  同上台輪
５６  同仏壇本体下台
５７  同外欄間用長押
５８  同ゴミ取り
５９  同背板
６０  同仏壇本体前柱
６１  同仏壇本体後柱
６２  同側面板
６３  同外欄間
６４  同下段
６５  同前引き
６６  同収納部
６７  同猫戸
６８  同中段
６９  同上段
７０  同攻め板
７１  同柱
７２  同地板
７３  同一重長押
７４  同二重長押
７５  同三重長押
７６  同天井
７７  同下段天板
７８  同中段天板
７９  同上段天板
８０  同天井ダボ
８１  同段廻り天板のホゾ
８２  同柱ダボ
８３  同一重長押のホゾ
８４  同二重長押のホゾ
８５  同三重長押のホゾ
８６  同棚受け中段用
８７  同棚受け上段用
８８  同欄間束一重長押用
８９  同欄間束二重長押用
９０  同内欄間一重長押用
９１  同内欄間二重長押用
【図１】
2007007325.tif 000003
【図２】
2007007325.tif 000004
【図３】
2007007325.tif 000005
【図４】
2007007325.tif 000006
【図５】
2007007325.tif 000007
【図６】
2007007325.tif 000008
【図７】
2007007325.tif 000009
【図８】
2007007325.tif 000010
【図９】
2007007325.tif 000011
【図１０】
2007007325.tif 000012
【図１１】
2007007325.tif 000013
【図１２】
2007007325.tif 000014
【図１３】
2007007325.tif 000015
【図１４】
2007007325.tif 000016
【図１５】
2007007325.tif 000017
【図１６】
2007007325.tif 000018
【図１７】
2007007325.tif 000019
【図１８】
2007007325.tif 000020
【図１９】
2007007325.tif 000021
【図２０】
2007007325.tif 000022
【図２１】
2007007325.tif 000023
【図２２】
2007007325.tif 000024
【図２３】
2007007325.tif 000025
【図２４】
2007007325.tif 000026
【図２５】
2007007325.tif 000027
【図２６】
2007007325.tif 000028
【図２７】
2007007325.tif 000029
【図２８】
2007007325.tif 000030
【図２９】
2007007325.tif 000031
【図３０】
2007007325.tif 000032